(57)【要約】【課題】踏み込む際の力の大きさに対応して変形することで、刺激の大きさを変化させるようにした健康器具を提供する。【解決手段】健康器具Ａは、所定の長さを有する弾性体によって形成され設置面Ｆに設置したとき該設置面に対し略垂直方向に配置された刺激部１を有し、刺激部は、長手方向の全長にわたって形成された穴７と、曲面状に形成された頂部４と、を有する。刺激部２１は、設置面Ｆに設置される基板２３の略垂直方向に起立して形成された起立部２２の頂部に配置されている。刺激部１〜３、１１〜１３となる少なくとも三つ突起が等角度間隔で且つ頂部４を外周側にして一体化して配置されており、隣接する二つの刺激部２、３、１２、１３を設置面Ｆに設置したとき、一つの刺激部１、１１が設置面Ｆから略垂直方向に配置されるように構成されている。何れかの健康器具Ａ〜Ｃを、アーチ部材３０の基部３１とアーチ３２によって構成された空洞３３に挿入して構成する。【選択図】    図１
2019005279.tif 000002
【特許請求の範囲】
【請求項１】
設置面に設置して踏み込むことで足つぼに刺激を与える健康器具であって、
所定の長さを有する弾性体によって形成され設置面に設置したとき該設置面に対し略垂直方向に配置された刺激部を有し、
前記刺激部は、長手方向の全長にわたって形成された穴と、曲面状に形成された頂部と、を有することを特徴とする健康器具。
【請求項２】
前記刺激部は、所定の長さを有し前記設置面に設置される基板の略垂直方向に起立して形成された起立部の頂部に配置されていることを特徴とする請求項１に記載した健康器具。
【請求項３】
少なくとも三つ突起が等角度間隔で且つ頂部を外周側にして一体化して配置されており、隣接する二つの突起を設置面に設置したとき、一つの突起が設置面から略垂直方向に配置され該突起が刺激部として構成されていることを特徴とする請求項１に記載した健康器具。
【請求項４】
前記少なくとも三つの突起には夫々長手方向の全長にわたって穴が形成されており、夫々の突起が刺激部として構成されていることを特徴とする請求項３に記載した健康器具。
【請求項５】
前記刺激部の断面形状は、頂部が曲面状に形成された、略三角形、円形、楕円形、長円形の中から選択されたものであることを特徴とする請求項１乃至４の何れかに記載した健康器具。
【請求項６】
前記刺激部に形成された穴の断面形状は、略三角形、円形、楕円形、長円形の中から選択されたものであることを特徴とする請求項１乃至５の何れかに記載した健康器具。
【請求項７】
請求項１乃至６の何れかに記載した健康器具を、
所定の幅と長さを有する基部と、該基部の一方の面に於ける幅方向の両端部から夫々立ち上がる立上部と該立上部の上部を曲線状に結ぶ頂部接続部とからなるアーチと、を有するアーチ部材の前記基部と前記アーチとによって構成された空洞に挿入して構成したことを特徴とする健康器具。
【発明の詳細な説明】
【技術分野】
【０００１】
本発明は、足つぼに刺激を与える健康器具に関し、特に踏み込み時の力や方向に応じて刺激が変化するように構成した健康器具に関するものである。
【背景技術】
【０００２】
従来より足つぼに刺激を与えるために、例えば割竹をそのまま利用したり、割竹の表面や木の板に複数の突起を設けた健康器具が提供されている。これらの健康器具では、割竹の表面を直接足で踏むことによって、或いは割竹や木の板に設けた突起を足で踏むことによって、足裏のつぼに刺激を与えるようにしている。割竹や木の板は弾力性がなく、且つこれらの表面に設けられた突起も硬いのが一般的である。このため、踏み込むときの力がそのまま反力となり、足裏のつぼに対する刺激となる。
【０００３】
また、多数の突起を設けた複数のローラを有しており、このローラを回転可能に支持した足踏み健康器具が提案されている（例えば、特許文献１参照）。この健康器具では、足の裏をローラの上に載せ、足を前後方向に動かすことで、足の裏を刺激するように構成されている。従って、足を動かすのに伴うローラの回転によって足の裏に当たる突起が変動することで、足の裏全体的に繰り返し刺激を与えることができる。
【先行技術文献】
【特許文献】
【０００４】
【特許文献１】特開２００１−０５４５４７号公報
【発明の概要】
【発明が解決しようとする課題】
【０００５】
上記した従来の足踏み用の健康器具では、構造体に弾力性を有する部分がなく、足で踏んだときの力がそのまま刺激として作用する。このため、踏み込む際の力の調整が難しく、個人差や体調に合わせた刺激を生じさせることが困難になるという問題がある。
【０００６】
また、特許文献１に記載された足踏み健康器具では、構造が複雑であり、ローラを足で踏んだときの力がそのまま刺激となるため、踏み込む際の力の調整が難しく、個人差や体調に合わせた刺激を生じさせることが困難になるという問題がある。
【０００７】
本発明の目的は、踏み込む際の力の大きさや方向に対応して変形することで、刺激の大きさを変化させるようにした健康器具を提供することにある。
【課題を解決するための手段】
【０００８】
上記課題を解決するために本発明に係る健康器具は、設置面に設置して踏み込むことで足つぼに刺激を与える健康器具であって、所定の長さを有する弾性体によって形成され設置面に設置したとき該設置面に対し略垂直方向に配置された刺激部を有し、前記刺激部は、長手方向の全長にわたって形成された穴と、曲面状に形成された頂部と、を有するものである。
【０００９】
上記健康器具に於いて、前記刺激部は、所定の長さを有し前記設置面に設置される基板の略垂直方向に起立して形成された起立部の頂部に配置されているか、又は、少なくとも三つ突起が等角度間隔で且つ頂部を外周側にして一体化して配置されており、隣接する二つの突起を設置面に設置したとき、一つの突起が設置面から略垂直方向に配置され該突起が刺激部として構成されていることが好ましい。
【００１０】
上記何れかの健康器具を、所定の幅と長さを有する基部と、該基部の一方の面に於ける幅方向の両端部から夫々立ち上がる立上部と該立上部の上部を曲線状に結ぶ頂部接続部とからなるアーチと、を有するアーチ部材の前記基部と前記アーチとによって構成された空洞に挿入して構成することが好ましい。
【発明の効果】
【００１１】
本発明に係る健康器具では、刺激部が弾性体によって形成されており、全長にわたって穴が形成されると共に頂部が曲面状に形成されている。そして、健康器具を設置面に設置したとき、刺激部が設置面に対して略垂直に配置されている。このため、使用者が刺激部を踏み込んだとき、該刺激部が潰れ方向に変形し、或いは倒れ方向に変形することで、この変形に伴って足裏のつぼ（足つぼ）に対し、押し及び揉みの刺激を与えることができる。
【００１２】
特に、刺激部が、設置面に設置される基板の略垂直方向に起立して形成された起立部の頂部に配置されている場合、刺激部を踏み込むのに伴って起立部が倒れ方向に変形することで、足つぼに対し揉みの刺激を与えることができる。
【００１３】
また、少なくとも三つの突起が等角度間隔で且つ頂部を外周側にして一体化して配置されている場合、隣接する二つの突起を設置面に設置することで一つの突起を設置面から略垂直方向に配置することができる。このため、略垂直方向に配置された突起に穴を形成することで刺激部として機能させることができる。そして、刺激部が弾性体によって形成されるため、略垂直方向にある刺激部を踏み込むと、設置面に設置されている二つの刺激部が角度を広げるように変形し、且つ踏み込まれた刺激部が潰れ方向及び倒れ方向に変形する。このため、足つぼに対し、押し、揉みの刺激を与えることができる。
【００１４】
また、前述した何れかの健康器具を、アーチ部材の基部とアーチとによって構成された空洞に挿入して構成することで、使用者がアーチ部分を踏み込むことによって、足つぼに対し刺激部の先端が直接接触することがない。このため、押し、揉みの刺激を柔らかな感触とすることができる。
【図面の簡単な説明】
【００１５】
【図１】第１実施例に係る健康器具の構成を説明する図である。
【図２】第１実施例に係る健康器具の変形状況を説明する図である。
【図３】第２実施例に係る健康器具の構成を説明する図である。
【図４】第３実施例に係る健康器具の構成を説明する図である。
【図５】アーチ部材の構成を説明する図である。
【図６】第１実施例〜第３実施例に係る健康器具をアーチ部材に挿入した状態を説明する図である。
【発明を実施するための形態】
【００１６】
本発明に係る健康器具について説明する。本発明に係る健康器具は、使用者が所望の設置面に設置したとき、この設置面に対し略垂直に配置された刺激部を有するものである。そして、足裏で刺激部を踏み込むことによって変形させることで、足つぼに刺激を与えることが可能であり、踏み込む深さ（踏込量、踏込力ともいう）や方向に対応して刺激の大きさや方向が変化し得るように構成したものである。
【００１７】
設置面の構成については限定するものではなく、キッチンやリビングのフロア面、事務机の下部に於ける床面などを対象とすることが可能である。即ち、設置面は平坦な面であれば良く、水平面であるか、傾斜面であるかを限定するものではない。
【００１８】
健康器具を設置面に設置したときに刺激部を設置面に対して略垂直に配置するための構成は特に限定するものではない。例えば、目的の設置面に敷き込む平板状の基板と、この基板から略垂直方向に起立させた起立部と、を設け、この起立部の頂部に刺激部を垂直に配置することで良い。この場合、起立部を可撓性を有する材料によって形成することで、刺激部の踏み込みに伴って起立部を撓ませることが可能となり、より複雑な揉み効果を発揮させることが可能となる。
【００１９】
また、外形の断面が略同じ形状を持った少なくとも三つの突起を同一断面内で等角度間隔で放射状に配置し、そのうち隣接する二つの突起の一部を設置面に接触させて設置することで、残る一つの突起を設置面から略垂直に配置して刺激部とすることでも良い。この場合、三つの突起に夫々全長にわたる穴を形成して夫々を刺激部として形成しておき、設置面に接触させる刺激部を代えることで、三つの刺激部を順次ロータリー式に回動させて変更することが可能となる。
【００２０】
刺激部は弾性体によって形成されている。弾性体としての材質を限定するものではなく、合成ゴムや天然ゴムなど如何なるゴムであっても利用することが可能である。しかし、使用者が素足で使用することを考慮すると、人体に対して悪影響を与えることのないゴム、例えば、シリコーンゴム、ＥＤＰＭゴム、天然ゴム、ＮＢＲゴム、ＳＢＲゴム、クロロプレンゴム等のゴムの中から選択して利用することが好ましい。
【００２１】
また、ゴム硬度を限定するものではなく、踏み込んだときの感触性や、生じさせるべき刺激の大きさ等の条件に対応させて適宜設定することが好ましい。しかし、本件発明者等の知見では、ゴム硬度としては約４０度〜約９０度の範囲であることが好ましく、約５０度〜約７０度であることがより好ましい。
【００２２】
刺激部には長手方向の全長にわたって穴が形成されている。このため、刺激部に形成された穴の形状や寸法を変化させることで、刺激部の厚みの分布や肉厚を適宜設定することが可能となり、刺激部の撓み性を変化させることが可能となる。従って、刺激部の外形形状の断面が同じであっても穴の断面形状や断面積を変化させることで、異なる刺激を期待することが可能である。
【００２３】
健康器具の長さは限定するものではないが、足踏み用の健康器具として必要な長さを有していることが好ましい。例えば、両足同時踏み込み用に構成された健康器具の場合、長さは約２００ｍｍ〜約３５０ｍｍの範囲であることが好ましく、片足踏み込み用に構成された健康器具の場合、約１００ｍｍ〜約１５０ｍｍの範囲であることが好ましい。
【００２４】
以下、本発明に係る健康器具の第１実施例について図１を用いて説明する。図１（ａ）に示す健康器具Ａは、三つの突起１、２、３を有しており、各突起１〜３はＯを中心として１２０度間隔で放射状に配置されている。これらの突起１〜３は後述するように、刺激部（１〜３）としての機能も発揮し得るように構成されている。
【００２５】
突起１〜３は、夫々同じ半径で形成された曲面状の頂部４を有している。頂部４は使用者が直接足裏を当接させて踏み込む部位であり、使用者の足裏を痛めてはならない。このため、頂部４は足裏を痛める虞がなく且つ充分な刺激を感じ得る曲面であれば良く、該曲面の形状、例えば半径を限定するものではない。例えば本実施例では、頂部４を半径約４ｍｍの円弧状に形成している。
【００２６】
また、夫々の刺激部１〜３を構成する対向する二つの斜面５のなす角は等しく、隣接する刺激部を構成する斜面５どうしが交わる位置に接合線６が形成されている。このため、二つの斜面５と接合線６を結ぶ線とによって規定された各刺激部１〜３の外形形状は、互いに等しい略三角形として形成されている。
【００２７】
上記の如く構成された健康器具Ａでは、各突起１〜３がＯを中心として等角度間隔で放射状に配置されている。このため、隣接する二つの突起、例えば突起２、３の頂部４の近傍を設置面Ｆに接触させたとき、残る一つの突起１が設置面Ｆに対し略垂直に配置されることとなる。従って、突起１に全長にわたる穴７を形成しておくことで、刺激部１としての機能を発揮することが可能となる。
【００２８】
また、設置面Ｆに接触させた二つの突起２、３が、設置面に設置する基板としての機能を発揮することが可能となる。
【００２９】
図１（ｂ）は、三つの突起１〜３に夫々長手方向の全長にわたる穴７〜９を形成することで、各突起１〜３を夫々刺激部１〜５として構成したものである。この例では三つの突起１〜３に穴７〜９を形成したが、必ずしも三つの突起１〜３のすべてに穴７〜９を形成する必要はなく、突起１〜３の中から選択された二つの突起（例えば突起１、２）に夫々穴（穴７、８）を形成しても良い。
【００３０】
各刺激部１〜３には、長手方向の全長にわたって穴７〜９が形成されている。各穴７〜９は、刺激部１〜３の頂部４に対応する位置に小穴７ａ〜９ａが形成されると共に該小穴７ａ〜９ａを頂点する略三角形に形成されている。各穴７〜９は、夫々異なる断面積を有しており、この結果、各刺激部１〜３の斜面５の厚さが異なるように構成されている。
【００３１】
本実施例では、刺激部１に形成された穴７が最も大きい断面積を有しており、刺激部２に形成された穴８が最も小さい断面積を、刺激部３に形成された穴９が中間の断面積を有している。例えば、刺激部１では小穴７ａの中心からの穴７の高さは約１２ｍｍ、斜面５から穴７までの距離（肉厚、以下同じ）は約３ｍｍに設定されている。また、刺激部２では、穴８の高さは約１１ｍｍ、肉厚は約４ｍｍに設定されている。また、刺激部３では穴９の高さは小穴９ａを含んで約１０ｍｍ、肉厚は約４ｍｍに設定されている。
【００３２】
健康器具Ａを目的の設置面Ｆに設置したとき、設置面Ｆから何れかの刺激部１〜３の頂部４までの寸法は特に限定するものではなく、使用者の体格などの身体的な特徴に合わせて適宜設定しておくことが好ましい。例えば本実施例では、設置面Ｆに設置したときの該設置面Ｆから各頂点４までの高さが、約３６ｍｍに設定されたものと、約３０ｍｍに設定されたものの二種類としている（後述する各実施例も同様）。尚、前述した各数値は、本実施例に於ける数値であり、これらの数値に限定するものではないことは当然である。
【００３３】
上記の如く構成された健康器具Ａでは、刺激部１が最も変形し易く構成されており、続いて刺激部３、刺激部２の順で変形し難くなるように構成されている。従って、使用者は刺激部１〜３の中から最適な刺激を与えてくれるものを選択して利用することが可能である。
【００３４】
即ち、健康器具Ａでは、各刺激部１〜３がＯを中心として等角度間隔で放射状に配置されている。このため、隣接する二つの刺激部、例えば刺激部２、３の頂部４の近傍を設置面Ｆに接触させたとき、残る一つの刺激部１が設置面Ｆに対し略垂直に配置されることとなる。従って、使用者は、健康器具Ａを使用しようとするときには最も適した設置面Ｆを選択して刺激部２、３の頂部４の近傍を該設置面Ｆに接触させておくだけで良い。
【００３５】
また、各刺激部１〜３が弾性体として形成されるため、外部から付与される力の作用方向（使用者による踏込方向）に応じて、潰れ、倒れが生じる。しかし、各刺激部１〜３は、穴７〜９の断面積、肉厚が異なることから、夫々の潰れ方向や倒れ方向に対する変形性及び、又は撓み性は異なる。
【００３６】
例えば、図２（ａ）に示すように、設置面Ｆに刺激部２、３を接触させることで垂直に配置された刺激部１に対して垂直方向の力を作用させたとき、刺激部１には潰れが生じ、同時に刺激部２、３は設置面Ｆに対する接触部分が互いに離隔する。即ち、刺激部２、３は、両者の接合線６を頂点とする二つの斜面５のなす角が大きくなる。このため、刺激部１に垂直方向に踏み込んだとき、該刺激部１の潰れによる刺激と刺激部２、３の倒れによる刺激とが合成された押しによる刺激を得ることが可能である。
【００３７】
また、図２（ｂ）に示すように、頂部４を倒すように（Ｏを中心として回転方向）踏み込んだとき、刺激部１には、刺激部２、３の斜面５との接合線６を結ぶ線を基線とするような倒れが生じる。また、同時に刺激部２、３は設置面Ｆに対する接触部分が互いに離隔する。このため、刺激部１の倒れによる刺激と刺激部２、３の倒れによる刺激とが合成された押し、揉みによる刺激を得ることが可能である。
【００３８】
従って、使用者が使用する際に刺激部１〜３の何れかを選択して他の刺激部を設置面Ｆに接触させて設置し、選択された刺激部に対して踏み込む方向を選択することで、足つぼに押し或いは揉みの刺激を与えることが可能である。そして、健康器具Ａをロータリー式に回動させて踏み込むべき刺激部１〜３を変更して使用することで、刺激を変化させることが可能となる。
【００３９】
次に、第２実施例に係る健康器具Ｂについて図３により説明する。尚、図に於いて、前述の第１実施例と同一の部分又は同一の機能を有する部分には同一の符号を付して説明を省略する。
【００４０】
第２実施例に係る健康器具Ｂも前述の第１実施例と同様に、Ｏを中心として等角度間隔に放射状に形成した三つの突起１１〜１３（以下「刺激部１１〜１３」）を有している。各刺激部１１〜１３の外形の断面形状は略円形であり、半円よりも大きい円弧状外周面１５を有している。また、隣接する円弧状外周面１５どうしは円弧状の谷１６を介して接続されている。従って、各刺激部１１〜１３の頂部４は円弧状外周面１５の一部として形成されている。
【００４１】
刺激部１１〜１３の長手方向の全長にわたって穴１７〜１９が形成されている。穴１７〜１９は夫々異なる寸法と形状を有しており、これにより、各刺激部１１〜１３は頂部４から各穴１７〜１９までの距離（肉厚、以下同じ）が異なる寸法を持って形成されている。
【００４２】
例えば本実施例では、穴１７は直径約９ｍの略円形に形成されており、肉厚が約３ｍｍに設定されている。また、穴１８は中心Ｏ側の寸法が大きく頂部４側の寸法が小さい曲面状の端部を有する略三角形に形成されており、中心Ｏ側から頂部４側に至る寸法（高さ寸法）が約１３ｍｍ、肉厚が約６ｍｍに設定されている。穴１９は中心Ｏ側から頂部４までの間に短径を有する楕円形状に形成されており、短径が約８ｍｍ、肉厚が約５ｍｍに設定されている。
【００４３】
また、健康器具Ｂを目的の設置面Ｆに設置したとき、設置面Ｆから何れかの刺激部１１〜１３の頂部４までの寸法は前述の第１実施例と同様に、約３６ｍｍに設定されたものと、約３０ｍｍに設定されたものとの二種類がある。尚、前述したように、各数値は本実施例に於ける数値であり、これらの数値に限定するものではないことは当然である。
【００４４】
上記の如く構成された健康器具Ｂでは、刺激部１１〜１３は潰れやすいものの倒れ方向への変形はし難い。このため、使用者が踏み込んだとき、主として潰れによる押しとしての刺激を得ることが可能である。また、外形形状が略円形であるため、足裏に対し痛みを伴うような刺激を生じることがない。
【００４５】
次に、第３実施例に係る健康器具Ｃについて図４により説明する。図に示す健康器具Ｃは、設置面Ｆに設置される基板２３と、この基板２３から略垂直方向に起立する起立部２２と、を有しており、該起立部２２の頂部に刺激部２１が配置されている。
【００４６】
刺激部２１は、曲面状の頂部４を有する略長円状に形成されている。また、刺激部２１には長手方向の全長にわたって、基板２３に対し垂直方向に延長した長円状の穴２７が形成されている。本実施例では、刺激部２１は垂直方向の長さが約１８ｍｍ、幅が約８ｍｍに設定されており、穴２７は基板２３から頂部４にかけての長さが約１３ｍｍ、幅が約３ｍｍに設定されている。そして、頂部４から穴２７までの肉厚が約３ｍｍに設定されている。
【００４７】
基板２３は刺激部２１の長さと同じ長さを有しており、幅は使用者が刺激部２１の頂部４を安定した状態で踏み込むことが可能な寸法を有している。即ち、基盤２３の幅寸法は限定するものではない。
【００４８】
起立部２２は適度な撓み性を有することが好ましく、高さや幅寸法を限定するものではない。本実施例では、幅約８ｍｍで高さ約１０ｍｍに設定されている。
【００４９】
尚、図４に示す２５はフィンであり、使用者が刺激部２１を踏み込んだときに足裏に対して良好な感触を与えて足つぼを刺激するためのものである。
【００５０】
上記の如く構成された健康器具Ｃでは、潰れ方向の変形はし難く、起立部２２を支柱として搖動する倒れ方向の変形が容易である。このため、使用者が頂部を垂直方向に踏み込んだとしても、頂部４の曲面に沿って力の作用方向が変位し、この結果、起立部２２が基板２３との接続部分及び刺激部２１との接続部分から弓状に変形する。そして、踏み込んだ足裏には、変形に伴う反力とフィン２５の接触による揉み効果を得ることが可能である。
【００５１】
前述した健康器具Ａ〜Ｃは、夫々を単独で使用することが可能なように構成されており、夫々の形状に対応して足つぼに対し、押しによる刺激、揉みによる刺激を与えることが可能である。特に、各刺激部１〜３、１１〜１３、２３が直接足裏に接触して刺激を与えることから、足つぼに対し局部的に強い押し、強い揉みによる刺激を与えることが可能となる。
【００５２】
しかし、足つぼに対して付与される局部的に強い押し、揉みの刺激を、より軟らかい押し、揉みの刺激とすることが好ましい場合がある。このため、図５に示すアーチ部材３０を用意し、該アーチ部材３０に前述した健康器具Ａ〜Ｃの何れかを選択して挿入して使用することで、柔軟な押し、揉みの刺激を実現することが可能である。
【００５３】
アーチ部材３０は、基板３１と、該基板３１の一方側の面（上面３１ａ）であって幅方向の両端部から立ち上がる立上部３２ａ及び立上部３２ａの上部を曲線状に結ぶ頂部接続部３２ｂからなるアーチ３２と、基板３１とアーチ３２とによって構成された空洞３３を有して構成されている。
【００５４】
基板３１は設置面Ｆに設置されて安定した設置状態を保持し得ることが必要である。このため、基板３１の下面３１ｂには複数の溝３１ｃが形成されており、この溝３１ｃによって設置面Ｆに対する摩擦が大きくなるように構成されている。
【００５５】
アーチ３２は基板３１の幅方向の両端部から立上部３２ａが起立しており、該立上部３２ａの上部が頂部接続部３２ｂによって曲線状に接続されている。立上部３２ａは可撓性を有するものの頂部接続部３２ｂと比較して柔軟性が小さく形成されており、この柔軟性の違いは夫々の部位を形成する厚さの違いによって実現している。
【００５６】
本実施例では、アーチ３２を構成する立上部３２ａの厚さを約３．５ｍｍに設定し、頂部接続部３２ｂの厚さを約１．５ｍｍに設定している。そして、立上部３２ａの高さを約１５ｍｍとし、この部位から頂部接続部３２ｂにかけて徐々に肉厚を薄くしてゆくことで、頂部接続部３２ｂを立上部３２ａよりも柔軟な可撓性を発揮し得るように構成している。
【００５７】
また、基板３１とアーチ３２とによって構成された空洞３３は、高さが約３３ｍｍ、立上部３２ａの基板３１との接合部位の幅が約４０ｍｍの釣鐘状に形成されている。この空洞３３には前述した健康器具Ａ〜Ｃであって、高さが３０ｍｍに設定されたものを挿入することが可能である。
【００５８】
即ち、図６（ａ）はアーチ部材３０の空洞３３に健康器具Ａを挿入して構成した状態を示している。図に示すように、アーチ部材３０の空洞３３に健康器具Ａを挿入したとき、アーチ３２を構成する頂部接続部３２ｂの内面と健康器具Ａの刺激部１の頂部４との間に約３ｍｍの隙間が形成される。そして、使用者がアーチ部材３０の頂部接続部３２ｂを踏み込んだとき、先ず、頂部接続部３２ｂが変形し、内周面が刺激部１に接触した後、該刺激部１の変形が開始する。
【００５９】
上記の如く、健康器具Ａをアーチ部材３０の空洞３３に挿入することによって、使用者の足裏には頂部接続部３２ｂが接触することとなる。即ち、使用者の足裏に対し広い面積で接触することとなり、アーチ部材を踏み込んだ際の力が分散された柔らかな押し、揉みの刺激を実現することが可能となる。
【００６０】
図６（ｂ）はアーチ部材３０の空洞３３に健康器具Ｂを挿入して構成した状態を示している。図６（ｃ）はアーチ部材３０の空洞３３に健康器具Ｃを挿入して構成した状態を示している。これらの何れであっても、前述したと同様に、使用者がアーチ部材を踏み込んだ際の力が分散された柔らかな押し、揉みの刺激を実現することが可能となる。
【産業上の利用可能性】
【００６１】
本発明に係る健康器具は、使用者が足裏で踏み込んだとき足つぼに強い押し、揉みの刺激を与えることができる。このため、足踏み用の健康器具として好ましく利用することが可能である。
【符号の説明】
【００６２】
Ａ〜Ｃ                        健康器具
Ｆ                            設置面
１〜３、１１〜１３、２１      刺激部
４                            頂部
５                            斜面
６                            接合線
７〜９、１７〜１９、２７      穴
７ａ〜９ａ                    小穴
１５                          円弧状外周面
１６                          谷
２２                          起立部
２３                          基板
２５                          フィン
３０                          アーチ部材
３１                          基板
３１ａ                        上面
３１ｂ                        下面
３１ｃ                        溝
３２                          アーチ
３２ａ                        立上部
３２ｂ                        頂部接続部
３３                          空洞
【図１】
2019005279.tif 000003
【図２】
2019005279.tif 000004
【図３】
2019005279.tif 000005
【図４】
2019005279.tif 000006
【図５】
2019005279.tif 000007
【図６】
2019005279.tif 000008